(57)【要約】【課題】肘枕・正座・胡坐を掻く等の姿勢を健康的に補助する為のくつろぎ枕椅子を提供する。【解決手段】脚部と座面と座面クッションから成り、脚部は設置面を弧台面にした接地安定板の上に立つ立ち上がり基部と、立ち上がり基部の上端が、茸の傘の様に外側へ鍔状に張り出した上面両端に装着固定部を設けた座面であり、この座面に上から取り付けられる座面クッションは二つのクッション片を分離並列してくっ付くように生地材カバーで包み込んで一体化をなして中央にくびれ部を設け、座面と対応する位置に装着固定部を設けた事を特徴とするくつろぎ枕椅子。【選択図】図１
2018187327.tif 000002
【特許請求の範囲】
【請求項１】
脚部と座面及び座面に取り付けられる座面クッションから成る枕椅子体であって、
脚部において、
十数ミリ厚のボード材で成る立ち上がり基部の、厚みを挟む左右両側壁面の下端から、側壁面に直交して水平方向に数センチ幅で広がる接地安定板が設けてあり、
接地安定板の設置面は、立ち上がり基部の側壁面の左右へ、即ち直交的方向へ浅い円弧を描いて、下方へ膨らむ弧台面を成しており、
立ち上がり基部の四方周壁の上端域は、茸の傘の様に、外側へ鍔状に張り出して、上面を幅広の座面と成すが、
座面の前後両端の間には、約２倍の高低差があり、高所側が約１４０ミリ、低所側が約７０ミリであり、高所側を後方、低所側を前方と見立てるが、後方から前方へ、中途半ばまで僅かに昇ってゆく斜昇面を成しつつ、そこから下方へおおらかな湾曲カーブを描いて斜降しつつ低所へ至る斜降面を成し、
両端域には装着固定部が設けてあって、
この様に形成された座面上に取り付けられるのが座面クッションであり、座面の長さ・幅を共にはみ出す長さ・幅を有するふくよかなクッション素材を、生地材カバーで包みこんであるのだが、
座面クッションにおいて、前後の長さ方向に均等に二分する中心線に沿ったくびれ部を境に、左右対称に丸棒状の二つのクッション片が分離並列してくっ付く様に生地材カバーで一体的に形成されており、
くびれ部の両端域には座面上の装着固定部に対応する装着固定部が設けてある、ということを特徴とするくつろぎ枕椅子。
【発明の詳細な説明】
【技術分野】
【０００１】  本発明は、家中で自然とする肘枕や正座・胡坐などの姿勢を健康的に補助し、座りながら身体を揺り動かし、緊張をほぐして気分転換と美容効果も期待できる多機能なくつろぎ枕椅子に関するものである．
【背景技術】
【０００２】  数多くある正座椅子は、ほとんど正座使用に限られている。
【発明の概要】
【発明が解決しようとする課題】
【０００３】  横寝をする時、側頭部の高さ位置が腕枕は低すぎ肘枕は高すぎることになり、頚椎・腰  ・肩に負担を掛け腕の痺れ等を誘発する。
正座は膝への負担はもとより、脚を圧迫するので血流が悪くなり、エコノミー症候群を引き起こす心配がある。
これらの自然と何気なくする姿勢は、長時間行うと身体に掛かる負担が大きくて不調をきたす恐れがある。
本発明は、以上の問題点を解決するためになされたものである。
【課題を解決するための手段】
【０００４】  脚部と座面及び座面に取り付けられる座面クッションから成る枕椅子体である。
脚部において、
十数ミリ厚のボード材で成る立ち上がり基部の、厚みを挟む左右両側壁面の下端から、側壁面に直交して水平方向に数センチ幅で広がる接地安定板が設けてあり、接地安定板の設置面は、立ち上がり基部の側壁面の左右に、即ち直交的方向に、浅い円弧状に下方へ膨らむ弧台面を成しており、
立ち上がり基部の四方周壁の上端域は、茸の傘の様に、外側へ鍔状に張り出して、上面を幅広の座面と成す。座面の前後両端の間には、約２倍の高低差があり、高所側が約１４０ミリ、低所側が約７０ミリの高さであり、高所側を後方、低所側を前方と見立てるが、後方から前方へ、中途半ばまで僅かに昇って行く斜昇面を成しつつ、そこから下方へ大らかな湾曲カーブを描いて斜降しつつ低所へ至る斜降面を成し、前後の両端域に夫々面ファスナー等の装着固定部が設けてある。
この様に形成された座面上に取り付けられるのが座面クッションであり、座面の長さ・幅を共にはみ出す長さ・幅を有するふくよかなクッション素材を生地材カバーで包み込んである。
座面クッションにおいて、前後の長さ方向に均等に二分する中心線に沿ったくびれ部を境に、左右対称に丸棒状の二つのクッション片が分離並列してくっ付く様に生地材カバーで一体的に形成されており、くびれ部の両端域には座面上の装着固定部に対応する装着固定部が設けてある。
全体としてこの様に形成された構成体の座面クッション上の斜降面域に側頭部を載せ置いて、横寝枕（肘枕）として利用したり、座面クッション中央域に跨る形でお尻を載せ置いて、椅子（正座椅子）として利用したりする。
以上を特徴とするくつろぎ枕椅子である。
【発明の効果】
【０００５】  肘・膝・腰に掛かる負担を軽減し、より楽に姿勢を保持し、クッションのくびれ部が正座などの際に尾骨への圧迫感を軽減し、肘枕として側頭部を載せて使用する際にも耳・頬への圧迫感を軽減する。
また，床と接する弧台面は座面に載せた身体を程よく左右に揺らすことが出来るので、長い時間座っているような時でも、筋肉の緊張をほぐしてリラックスができる。
【図面の簡単な説明】
【０００６】
【図１】  本発明の斜視図
【図２】  図１に示された本発明から、本発明の一部である座面クッションを外して見せた斜視図
【図３】  本発明の一部である接地安定板の弧台面を見せるための前方から見た斜視図
【図４】  本発明の一部である座面クッションの平面図
【図５】  本発明の使用状態を示すイメージ図
【図６】  本発明の別の使用状態を示すイメージ図
【発明を実施するための形態】
【０００７】  以下、本発明の実施の形態を説明する。
図１で示すように、脚部（１）と座面（２）に取り付けられる座面クッション（３）から成る枕椅子体である。
脚部（１）において、
図３で示すように、十数ミリ厚のボード材で成る立ち上がり基部（５）の、厚みを挟む  左右両側壁面の下端から、側壁面に直交して水平方向に数センチ幅で広がる長径約２４センチ、短径約１４センチの楕円形状の接地安定板（６）が設けてあり、接地安定板（６）の設置面は、立ち上がり基部（５）の側壁面の左右に、即ち直交的方向に、浅い円弧状に下方へ膨らむ弧台面（７）を成しており、
立ち上がり基部（５）の四方周壁の上端域は、図３で示すように外側へ鍔状に張り出して、上面を幅広の長径約３５センチ・短径約１５センチの楕円形状に形成された座面（２）と成す。
座面（２）の前後両端の間には、図２で示すように、約２倍の高低差があり、高所側が約１４０ミリ、低所側が約７０ミリの高さであり、高所側を後方、低所側を前方と見立てるが、後方から前方へ、中途半ばまでの約１５０ミリの最高点位置まで昇って行く斜昇面（９）を成しつつ、そこから下方へ大らかな湾曲カーブを描いて斜降しつつ低所へ至る斜降面（８）を成し、前後の両端域に夫々面ファスナーのフック部が装着固定部（１１）に設けてある。
図２で示すように、この様に形成された座面（２）上に取り付けられるのが、図４で示すような座面クッション（３）であり、座面の長さ・幅を有するふくよかなクッション素材を生地材カバーで包み込んである。
座面クッション（３）において、前後の長さ方向に均等に二分する中心線に沿ったくびれ部（１０）を境に、左右対称に丸棒状の二つのクッション片（４ａ・４ｂ）が分離並列して、くっ付くようにして生地材カバーで一体的にして略楕円形状に形成されており、くびれ部（１０）の両端域には座面（２）上の装着固定部（１１）に設けた面ファスナーのフック部に対応する面ファスナーのループ部が装着固定部（１１）に設けてある。
本発明は以上のような構造である。
本発明を使用する時は、
図１で示すように、座面クッション（３）を座面（２）の上に載せ、双方の装着固定部（１１）の面ファスナーを合わせて固定し、
肘枕として使用する時は、図５で示すように、座面（２）前方側の斜降面（８）域の座面クッション（３）上で下降方向へ向いて側頭部を載せ置く。その際、弧台面（７）の効果により座面（２）は自然と手前に傾き、側頭部は座面クッション（３）とピッタリ密着をして安定を成し、首筋への負担が軽減すると共に、耳・頬などがくびれ部（１０）の溝に心地よく当て嵌まり保持される。
このようにして、寝入るのではなく普通に肘枕をしているような感じで横寝をして、テレビなどを見たりしながらくつろぐのに適している。
正坐・胡坐を掻くなどの場合は、図６で示すように座面クッション（３）の上で、前後どちらかの方向で自分に適した高さ位置を決め、跨る形でお尻を載せ置き座れば、通常経験する足の痺れ等の不快感がすぐには来ないので長い時間座っていることが出来る。
そして、図３で示すように接地安定板（６）の弧台面（７）は、座面（２）上に載せ置いた身体がバランスを崩さない範囲に自ずと限定されて左右に揺することが出来るので、長時間座っている時などに起きる筋肉（身体）の緊張をほぐして気分転換ができる上に、ウエスト引き締めの効果も期待ができる。
又、座面クッション（３）のくびれ部（１０）の溝は尾骨への圧迫感を減らし、載せ置いた尻を気持ちよく保持する。
尚、取り外し式の座面クッション（３）は、時折外して洗濯等をすればいつでも気持ちよく使用できる。
【符号の説明】
【０００８】１  脚部、  ２  座面、  ３  座面クッション、
４ａ  座面クッション片、  ４ｂ  座面クッション片、
５  立ち上がり基部、  ６  接地安定板、
７  弧台面、  ８  斜降面、  ９  斜昇面、  １０  くびれ部、
１１  装着固定部、
【図１】
2018187327.tif 000003
【図２】
2018187327.tif 000004
【図３】
2018187327.tif 000005
【図４】
2018187327.tif 000006
【図５】
2018187327.tif 000007
【図６】
2018187327.tif 000008